(57)【要約】【課題】眼鏡式一体化立体ビデオ周波数マルチメディア装置を提供する。【解決手段】眼鏡式一体化立体ビデオ周波数マルチメディア装置は、アイマスク１と、アイマスク１の両辺に設置する耳かけ２と、を含み、アイマスク１内側に２組の眼鏡３を設け、２組の眼鏡３の間の間隔は、人体の両目の間の距離と相互に適応し、各組の眼鏡３と対応するアイマスク１内にそれぞれ極小型表示板４を設け、アイマスク１外側に２つのデジタル撮像部材５を設け、２つのデジタル撮像部材５の間の間隔と人体の両目の間の距離は相互に適応し、アイマスク１内に制御器６、ストレージ７、電池電源８を設け、アイマスク１上に制御レバー９、信号入力ポート１０、信号出力ポート１１を設け、前記２つの極小型表示板４、２つのデジタル撮像部材５、ストレージ７、電池電源８、制御レバー９、信号入力ポート１０、信号出力ポート１１は、それぞれ制御器６とケーブル接続して撮影し再生する。【選択図】図1
2009534958.tif 000002
【特許請求の範囲】
【請求項１】
アイマスク１と、アイマスク１の両辺に設置する耳かけ２と、を含む眼鏡式一体化立体ビデオ周波数マルチメディア装置であって、
アイマスク１内側に２組の眼鏡３を設け、２組の眼鏡３の間の間隔は、人体の両目の間の距離と相互に適応させ、各組の眼鏡３と対応するアイマスク１内にそれぞれ極小型表示板４を設け、アイマスク１外側に２つのデジタル撮像部材５を設け、該２つのデジタル撮像部材５の間の間隔と人体の両目の間の距離は相互に適応させ、アイマスク１内に制御器６、ストレージ７、電池電源８を設け、アイマスク１上に制御レバー９、信号入力ポート１０、信号出力ポート１１を設け、前記２つの極小型表示板４、２つのデジタル撮像部材５は、それぞれ制御器６とケーブル接続し、ストレージ７、電池電源８、制御レバー９、信号入力ポート１０、信号出力ポート１１は、それぞれ制御器６と該ケーブル接続して撮影再生することを特徴とする眼鏡式一体化立体ビデオ周波数マルチメディア装置。
【請求項２】
前記アイマスク１上に更に、外部接続電源挿入口１２、メモリーカード挿入口１３および２つの音声ピックアップ器１４を設け、電源挿入口１２が電池電源８とケーブル接続し、メモリーカード挿入口１３、音声ピックアップ器１４は、制御器６とケーブル接続することを特徴とする請求項１記載の眼鏡式一体化立体ビデオ周波数マルチメディア装置。
【請求項３】
前記耳かけ２上にイヤホン１５を設け、イヤホン１５は、制御器６とケーブル接続することを特徴とする請求項１または２記載の眼鏡式一体化立体ビデオ周波数マルチメディア装置。
【請求項４】
前記眼鏡３は、透過レンズ組であることを特徴とする請求項１または２記載の眼鏡式一体化立体ビデオ周波数マルチメディア装置。
【請求項５】
前記眼鏡３は、透過レンズ組であることを特徴とする請求項３記載の眼鏡式一体化立体ビデオ周波数マルチメディア装置。
【発明の詳細な説明】
【技術分野】
【０００１】
本発明は、多機能個人電子デバイスに関し、個人が使用する眼鏡式一体化立体ビデオ周波数マルチメディアに関する。
【背景技術】
【０００２】
人が両目を利用し物体を観察する時、立体感を有し、これは、人の両目の瞳孔の間の距離が約６〜７ｃｍあり、目で如何なる同じものを見ても、両目の角度は、完全には同一にならない。両目の間の距離の差はとても小さいが、網膜を経て大脳内に伝わり、脳は、この微小な距離の差を用いて、遠近感を発生することにより、立体感を発生する。片目で見る場合、物体を見ることができるが、物体の遠近、距離に対して識別することが容易ではない。この原理に基づき、同一の画像を２つの目の視角差を利用し、２つの微小な角度差を有する映像を製造または撮影し、その後、２つの目でそれぞれ見させ、網膜を介して大脳に立体画像を発生することができる。現在の各式各様の立体画像表示技術は、何れもこの原理を運用している。但し、現在の各種の異なる立体画像観測装置は、何れも技術的に複雑であり、コストが高く、画像の観測効果も理想的ではなく、普及し難く、更に個人用品方式で便利に使用することが困難である。電子科学技術の発展に従い、通信、撮影、収録、表示、ゲーム等を一体に集めた多機能電子製品が出現し、従来の電子製品に対し革命化の意義を有している。但し、現在の大多数のビデオ周波数と関連する電子製品は、何れも平面画像しか表示することができず、人の目を介して直接優質の立体画像を観測する関連個人電子用品は、希少である。
【特許文献１】米国特許明細書４５１６１５７号公報
【発明の開示】
【発明が解決しようとする課題】
【０００３】
本発明の目的は、構造が簡単で、コストが低く、立体効果が忠実であり、十分に便利であり、個人使用に適合し、同時に記録保存及び再生、画像信号のダウンロード、再生及び観賞し、電子ゲーム操作の眼鏡式一体化立体ビデオ周波数マルチメディア装置を提供することにある。
【課題を解決するための手段】
【０００４】
本発明の眼鏡式一体化立体ビデオ周波数マルチメディア装置は、アイマスクと、アイマスクの両辺に設置する耳かけとを含み、そのうち、前記のアイマスク内側に２組の眼鏡を設け、２組の眼鏡の間の間隔は、人体の両目の間の距離と相互に適応させ、各組の眼鏡と対応するアイマスク内にそれぞれ極小型表示板を設け、アイマスク外側に２つのデジタル撮像部材を設け、２つのデジタル撮像部材の間の間隔は、人体の両目の間の距離と相互に適応させ、アイマスク内に制御器、ストレージ、電池電源を設け、アイマスク上に制御レバー、信号入力ポート、信号出力ポートを設け、前記２つの極小型表示板、２つのデジタル撮像部材は、それぞれ制御器とケーブル接続し、ストレージ、電池電源、制御レバー、信号入力ポート、信号出力ポートは、それぞれ制御器とケーブル接続して景物の立体画像を撮影し再生する。
【０００５】
上記の眼鏡式一体化立体ビデオ周波数マルチメディア装置中に記載のアイマスク上に更に電源挿入口、メモリーカード挿入口及び２つの音声ピックアップ器を外接し、電源挿入口は、電池電源とケーブル接続し、メモリーカード挿入口、音声ピックアップ器は、制御器とケーブル接続する。
【０００６】
上記の眼鏡式一体化立体ビデオ周波数マルチメディア装置中に記載の耳かけ上に更にイヤホンを設け、イヤホンは、制御器とケーブル接続する。
【０００７】
上記の眼鏡式一体化立体ビデオ周波数マルチメディア装置が記載の眼鏡が透過レンズ組である。
【発明の効果】
【０００８】
本発明によれば、上記構造を採用した後、２つの裸眼を介して同時に２つの表示板中に表示される画像を観測でき、このように、２つの表示板中にそれぞれ人の目と相互に適応する視角差を有する同期画像を再生し、人の両目が眼鏡を介して見える画像の虚像は、大脳に伝わり、遠近層を有する立体画像に反映する。本発明は、複雑な画像処理技術または崇高な表示面板を必要とせず、構造が簡単で、コストが低く、観測する表示画像の立体効果が忠実であり、且つ立体効果を達成する手段が簡単、軽快であり、撮影しながら観賞でき、外部からの映像信号をダウンロード、再生することもでき、臨場感が高く立体電子ゲームをプレイすることができ、消費者に新型の多機能個人電子用品を提供する。
【発明を実施するための最良の形態】
【０００９】
図１に示すように、本発明の眼鏡式一体化立体ビデオ周波数マルチメディア装置は、アイマスク１と、アイマスク１の両辺に設置する耳かけ２と、を含み、アイマスク１内側に２組の眼鏡３を設け、眼鏡３は、拡大作用を有し、且つ虚像結像距離を引き伸ばすことができる透過レンズ組を採用し、２組の眼鏡３の間の間隔は、人体の両目の間の距離と相互に適応させ、各組の眼鏡３と対応するアイマスク１内にそれぞれ極小型表示板４を設け、人体の両目は、それぞれ２組の眼鏡２を介して２つの極小型表示板４がそれぞれ表示する人の目の視角差と一致する同期画像を見ることができ、それにより景物の立体画像を形成する。
アイマスク１外側に２つのデジタル撮像部材５を設け、２つのデジタル撮像部材５の間の間隔と人体の両目の間の距離は相互に適応させ、このように、２つのデジタル撮像部材５を利用し、人の目が見えるものと同一の景物を撮影し、アイマスク１内に制御器６、ストレージ７、電池電源８を設け、アイマスク１上に制御レバー９を設け、信号再生、立体画像撮影等の制御に用い、アイマスク１上に更に信号入力ポート１０、信号出力ポート１１、電源挿入口１２、メモリーカード挿入口１３および２つの音声ピックアップ器１４を設け、信号入力ポート１０、信号出力ポート１１は、現有技術中に使用の多種のビデオ周波数、音声周波数模擬またはデータ入力、出力ポートを採用することができ、例えば、ＶＧＢ、同軸、光ファイバー入力、出力ポート等であり、外部接続信号の再生または撮影信号の出力に便利である。
電源挿入口１２は、電池電源８とケーブル接続し、電池充電または外部電源の使用に便利であり、使用時間を増加し、２つの極小型表示板４、２つのデジタル撮像部材５は、それぞれ制御器６とケーブル接続し、ストレージ７、電池電源８、制御レバー９、信号入力ポート１０、信号出力ポート１１、メモリーカード挿入口１３、音声ピックアップ器１４は、それぞれ制御器６とケーブル接続し、耳かけ２上にイヤホン１５を設け、イヤホン１５は、制御器６とケーブル接続し、再生した画面を見る時、同期音声を聴くことができる。
【００１０】
本発明の実施例によれば、２つのデジタル撮像部材５により撮影された画像を２つの裸眼を介して同時に２つの表示板中に表示される画像として観測できるほか、それぞれ人の目と相互に適応する視角差を有する同期画像を再生し、人の両目が眼鏡を介して見える画像の虚像は、大脳に伝わり、遠近層を有する立体画像に反映する。したがって、複雑な画像処理技術または高価な表示面板を必要とせず、構造が簡単で、コストが低く、観測する表示画像の立体効果が忠実であり、且つ立体効果を達成する手段が簡単、軽快であり、撮影しながら観賞でき、外部からの映像信号をダウンロード、再生することもでき、臨場感が高く立体電子ゲームをプレイすることができる。
本発明は、具体的使用時、立体画像再生器、立体画像撮影および保存設備、立体画像撮影監視器とすることができ、立体ゲーム機、インタラクティブネットワーク立体画像表示器、音声再生器および録音器等とすることもでき、消費者に新型の携帯便利な個人娯楽、ビジネス電子用品を提供することができる。
【図面の簡単な説明】
【００１１】
【図１】本発明の構造説明図である。
【符号の説明】
【００１２】
１  アイマスク
２  耳かけ
３  眼鏡
４  極小型表示板
５  デジタル撮像部材
６  制御器
７  ストレージ
８  電池電源
９  制御レバー
１０  信号入力ポート
１１  信号出力ポート
１２  電源挿入口
１３  メモリーカード挿入口
１４  音声ピックアップ器
１５  イヤホン
【図１】
2009534958.tif 000003
【国際調査報告】
2009534958.tif 000004
2009534958.tif 000005
2009534958.tif 000006
2009534958.tif 000007
2009534958.tif 000008
2009534958.tif 000009